(57)【要約】      （修正有）【課題】ティッシュ箱と小物雑貨類を効率よく収納でき、テーブル面等に置いて使用するのに便利であり、ティッシュ箱の厚さ幅に応じて収納部を変更できる収納ケースを提供する。【解決手段】方形の底面部２と４面の側面部から成る上面が開口された収納ボックス１の内部を仕切り及び幅寄せ面部７でティッシュ箱収納部８と小物雑貨収納部９に隔て、前記ティッシュ箱収納部８の側面部３にティッシュ取り出し口１０を形成した。仕切り及び幅寄せ面部７に折り目を介して覆い面部１４を連接し、この覆い面部に折り目を介して差込み片として機能する複数の折れ片１６ａ，１６ｂを連接した。仕切り及び幅寄せ面部７は面ファスナー１２ａ，１２ｂを介して幅寄せ位置を変更できるようにした。小物雑貨収納部９を仕切り面部２０，２３で複数の小物雑貨収納部分に隔てた。【選択図】図１
0003163632.tif 000002
【実用新案登録請求の範囲】
【請求項１】
方形の底面部と４面の側面部から成る上面が開口された収納ボックスの内部を対向する二面の側面部と平行に配設された垂直の仕切り及び幅寄せ面部でティッシュ箱収納部と小物雑貨収納部に隔てると共に、前記ティッシュ箱収納部をこのティッシュ箱収納部内に横向き姿勢で収納される直方体形状のティッシュ箱のティッシュ取り出し口側の面が前記仕切り及び幅寄せ面部と対向する前記ティッシュ箱収納部の側面部に当接する収納幅に形成し、前記仕切り及び幅寄せ面部と対向する前記ティッシュ箱収納部の側面部の略中央部分に横方向に長いティッシュ取り出し口を形成し、前記ティッシュ箱収納部の側面部に形成した前記ティッシュ取り出し口を前記ティッシュ箱収納部内に横向き姿勢で収納される直方体形状のティッシュ箱のティッシュ取り出し口と対応する位置に形成し、前記小物雑貨収納部の内部を仕切り面部で上面が開口された複数の小物雑貨収納部分に隔てた構造とした、ティッシュ箱及び小物雑貨類の収納ケース。
【請求項２】
方形の底面部と４面の側面部から成る上面が開口された収納ボックスと、この収納ボックスの内部を対向する二面の側面部と平行に配設される面でティッシュ箱収納部と小物雑貨収納部に隔てる垂直の仕切り及び幅寄せ面部を備え、この仕切り及び幅寄せ面部は前記ティッシュ箱収納部内に横向き姿勢で収納される直方体形状のティッシュ箱のティッシュ取り出し口側の面を前記仕切り及び幅寄せ面部と対向する前記ティッシュ箱収納部の側面部に当接する位置に幅寄せする機能を併せ持ち、前記仕切り及び幅寄せ面部と対向する前記ティッシュ箱収納部の側面部の略中央部分に横方向に長いティッシュ取り出し口を形成し、前記ティッシュ箱収納部の側面部に形成した前記ティッシュ取り出し口を前記ティッシュ箱収納部内に横向き姿勢で収納される直方体形状のティッシュ箱のティッシュ取り出し口と対応する位置に形成し、前記仕切り及び幅寄せ面部の両側端部に仕切り及び幅寄せ面部係着用の面ファスナーを取付け、前記収納ボックスの前記ティッシュ取り出し口が形成された側面部に隣接する両側面部の対向面に前記仕切り及び幅寄せ面部の両側端部が前記仕切り及び幅寄せ面部係着用の面ファスナーを介して着脱自在に垂直に固着される仕切り及び幅寄せ面部係着用の受け面ファスナーを設け、前記仕切り及び幅寄せ面部による仕切り固定位置と前記ティッシュ取り出し口が形成された側面部との間のティッシュ箱収納部の収納幅を該ティッシュ箱収納部内に横向き姿勢で収納される直方体形状のティッシュ箱の厚さ幅に対応する幅に変更調節できるように前記仕切り及び幅寄せ面部の両側端部が仕切り及び幅寄せ面部係着用の面ファスナーを介して着脱自在に垂直に固着される前記仕切り及び幅寄せ面部係着用の受け面ファスナーの固着可能範囲を幅寄せ方向に広く形成した、ティッシュ箱及び小物雑貨類の収納ケース。
【請求項３】
前記仕切り及び幅寄せ面部の上端部に前記ティッシュ箱収納部の上面開口を覆う覆い面部が開閉用折り目を介して折り畳み自在に連接され、この覆い面部の先端部に前記開閉用折り目と平行な差込み用折り目を介して折れ片が折り畳み自在に連接され、この折れ片を差込み片とした、請求項１に記載のティッシュ箱及び小物雑貨類の収納ケース。
【請求項４】
前記仕切り及び幅寄せ面部の上端部に前記ティッシュ箱収納部の上面開口を覆う覆い面部が開閉用折り目を介して折り畳み自在に連接され、この覆い面部の先端部に前記開閉用折り目と平行な差込み用折り目を介して複数の折れ片が折り畳み自在に連接され、先端側の前記折れ片又はこの先端側の折れ片を含む後続の折れ片を差込み片とした、請求項２に記載のティッシュ箱及び小物雑貨類の収納ケース。
【請求項５】
前記小物雑貨収納部の内部を仕切り面部で上面が開口された複数の小物雑貨収納部分に隔てた構造とし、具体的には、前記小物雑貨収納部の内部を前記仕切り及び幅寄せ面部と平行に配置された小物雑貨収納部用の主仕切り面部で外側と内側の二つの小物雑貨収納部分に隔て、前記主仕切り面部で隔てた外側と内側の二つの小物雑貨収納部分のうち該主仕切り面部と該主仕切り面部と対向する側面部との間に形成された外側の小物雑貨収納部分を前記主仕切り面部の一面から略Ｔ字状に連接された従属仕切り面部で更に複数の小物雑貨小口収納部分に隔てた構造とした、請求項１に記載のティッシュ箱及び小物雑貨類の収納ケース。
【請求項６】
前記小物雑貨収納部の内部を上面が開口された複数の小物雑貨収納部分に隔てる仕切り面部を備え、この仕切り面部は、前記仕切り及び幅寄せ面部と平行に配置され、前記小物雑貨収納部の内部を外側と内側の二つの小物雑貨収納部分に隔てる主仕切り面部と、前記主仕切り面部で隔てた外側と内側の二つの小物雑貨収納部分のうち該主仕切り面部と該主仕切り面部と対向する側面部との間に形成された外側の小物雑貨収納部分を更に複数の小物雑貨小口収納部分に隔てる、前記主仕切り面部の一面から折り畳み自在な略Ｔ字状に連接された従属仕切り面部を備え、前記主仕切り面部の両側端部に主仕切り面部係着用の面ファスナーを取付け、前記収納ボックスの前記ティッシュ取り出し口が形成された側面部に隣接する両側面部の対向面に前記主仕切り面部の両側端部が前記主仕切り面部係着用の面ファスナーを介して着脱自在に垂直に固着される主仕切り面部係着用の受け面ファスナーを前記仕切り及び幅寄せ面部係着用の受け面ファスナーに並べて設け、前記従属仕切り面部の先端部に従属仕切り面部係着用の面ファスナーを取付け、前記主仕切り面部と対向する側面部の内側面に前記従属仕切り面部の先端部が前記従属仕切り面部係着用の面ファスナーを介して着脱自在に垂直に固着される従属仕切り面部係着用の受け面ファスナーを設けた、請求項２に記載のティッシュ箱及び小物雑貨類の収納ケース。
【請求項７】
前記ティッシュ取り出し口を形成した前記側面部の上辺の高さに比べて対向する前記側面部の上辺の高さを低く形成した、請求項１から６のいずれかに記載のティッシュ箱及び小物雑貨類の収納ケース。
【請求項８】
前記ティッシュ取り出し口を形成した前記側面部の上辺の高さに比べて対向する前記側面部の上辺の高さを相対的に低く形成し、この両側面部に隣接した両側面部の各上辺を、該上辺の中央部が高低差のある前記側面部の上辺の高さより上方に突出した湾曲辺とし、この湾曲辺の両端部が高低差のある前記側面部の各上辺の端部にそれぞれ連なる湾曲形状とした、請求項１から６のいずれかに記載のティッシュ箱及び小物雑貨類の収納ケース。
【請求項９】
前記ティッシュ取り出し口を形成した前記側面部は、横方向に長い前記ティッシュ取り出し口を境にして上部側面部分が可撓性を有する硬めの面部材で形成され、下部側面部分が柔軟な面部材で形成されている、請求項１から６のいずれかに記載のティッシュ箱及び小物雑貨類の収納ケース。
【請求項１０】
前記底面部は、対角線で分離された二つの柔軟シート材の底面部分で形成され、二つの底面部分の分離辺を該分離辺に沿って設けたスライドファスナー又は該分離辺の近傍に設けた雄雌の面ファスナーによって開閉自在とし、且つ各側面部は隣接する側面部の境目辺を折り目として折り畳み自在に連接されている、請求項２又は６に記載のティッシュ箱及び小物雑貨類の収納ケース。
【請求項１１】
前記覆い面部の表面につかみ部を設けた請求項３又は４に記載のティッシュ箱及び小物雑貨類の収納ケース。
【考案の詳細な説明】
【技術分野】
【０００１】
本考案は、ティッシュ箱の収納部と、リモコン、眼鏡、筆記具などの小物雑貨類の収納部を備えた収納ケースであり、主にテーブル面や床面に置いて使用するのに便利な収納ケースに関する。
【背景技術】
【０００２】
日用品や衣類などの物品を収納する収納ボックスとしては、例えば、特許文献１（特開２００６−１５１４９６号公報）や特許文献２（実用新案登録第３１０８５３３号公報）の折り畳み自在な収納ボックスが知られている。この収納ボックスは、方形の底面部と４面の側面部から成る上面が開口された箱体であり、各側面部は各境目辺を介して折り畳み自在に連接し、柔軟シート材の底面部を対角線に沿って二つの底面部分に分離し、この分離辺をスライドファスナーで開閉できるようにしたものである。そして、不使用時には、スライドファスナーを開いて底面部を二つの底面部分に分離することによって、各側面部を扁平な折り畳み形態に折り畳めるようにしたものである。
【０００３】
また、ティッシュ箱（箱の上面に形成された横長の取り出し口からティッシュペーパーを一枚ずつ取り出し可能に収納してある直方体形状の紙製箱）の収納ケースとしては、布地などの柔軟生地で形成されたティッシュ箱カバーが知られている。このティッシュ箱カバーはティッシュ箱の略全体を覆うもので、カバーの上面部にはカバー内に収容されるティッシュ箱のティッシュ取り出し口と対応するティッシュ取り出し口が形成されている。
【０００４】
しかし、ティッシュ箱と、リモコン、眼鏡、筆記具などの小物雑貨類を一緒に効率よくコンパクトに収納できるようにした収納ケースは知られていない。
【先行技術文献】
【特許文献】
【０００５】
【特許文献１】特開２００６−１５１４９６号公報
【特許文献２】実用新案登録第３１０８５３３号公報
【考案の概要】
【考案が解決しようとする課題】
【０００６】
本考案は、ティッシュ箱と、リモコン、眼鏡、筆記具などの小物雑貨類を一緒に効率よくコンパクトに収納でき、主にテーブル面や床面に置いて使用するのに便利な収納ケースを提供しようとするものであり、収納ケース内に収納したティッシュ箱からティッシュペーパーを一枚ずつ取り出しできると共に、小物雑貨類の出し入れが容易な収納ケースを提供しようとするものである。
【０００７】
しかも、本考案の収納ケースは、収納ケース内に収納するティッシュ箱（ティッシュ箱は一般的に広く知られた形態のもので、箱の上面に形成された横長の取り出し口からティッシュペーパーを一枚ずつ取り出し可能に収納してある直方体形状の紙製箱である。）の厚さ幅サイズ（ティッシュ箱の取り出し口を上面にして置いた場合は高さ幅を指し、一般的に広く知られたティッシュ箱には、約５ｃｍ幅の薄型サイズ、約６ｃｍ幅の中型サイズ、この中型サイズより厚い厚型サイズがある。）に対応してティッシュ箱を収納する収納部をティッシュペーパーの取り出しに適した最適な幅サイズに変更できるようにすることである。
【０００８】
また、本考案は、組立てと分解が容易であり、分解した各構成部分をコンパクトな扁平形態に折り畳むことができる収納ケースを提供しようとするものである。
【課題を解決するための手段】
【０００９】
上記の課題を解決するため、本考案（請求項１の考案）は、方形の底面部と４面の側面部から成る上面が開口された収納ボックスの内部を対向する二面の側面部と平行に配設された垂直の仕切り及び幅寄せ面部でティッシュ箱収納部と小物雑貨収納部に隔てると共に、前記ティッシュ箱収納部をこのティッシュ箱収納部内に横向き姿勢で収納される直方体形状のティッシュ箱のティッシュ取り出し口側の面が前記仕切り及び幅寄せ面部と対向する前記ティッシュ箱収納部の側面部に当接する収納幅に形成し、前記仕切り及び幅寄せ面部と対向する前記ティッシュ箱収納部の側面部の略中央部分に横方向に長いティッシュ取り出し口を形成し、前記ティッシュ箱収納部の側面部に形成した前記ティッシュ取り出し口を前記ティッシュ箱収納部内に横向き姿勢で収納される直方体形状のティッシュ箱のティッシュ取り出し口と対応する位置に形成し、前記小物雑貨収納部の内部を仕切り面部で上面が開口された複数の小物雑貨収納部分に隔てた構造とした、ティッシュ箱及び小物雑貨類の収納ケースを提供する。
【００１０】
収納ケースの前記ティッシュ箱収納部内にティッシュ箱を該ティッシュ箱のティッシュ取り出し口が前記ティッシュ箱収納部の側面部に形成されたティッシュ取り出し口に対応する横向き姿勢で収納する。一定の厚さ幅のティッシュ箱（例えば、約６ｃｍ幅の中型サイズのティッシュ箱）をケース内に収納する場合、ティッシュ箱のティッシュ取り出し口を収納ケースのティッシュ取り出し口に対応した寄せ位置に収納することができる。このことによって、一定の厚さ幅のティッシュ箱をケース内に収納する場合、収納ケースの側面部に形成したティッシュ取り出し口からティッシュ箱内のティッシュを一枚ずつ的確に取り出しできる。また、収納ケースの小物雑貨収納部の内部は仕切り面部で複数の小物雑貨収納部分に区分けしてあるため、リモコン、眼鏡、筆記具などの小物雑貨類を別々に収容でき、これら小物雑貨類の出し入れを容易に行うことができる。
【００１１】
また、本考案（請求項２の考案）は、上記の課題を解決するため、方形の底面部と４面の側面部から成る上面が開口された収納ボックスと、この収納ボックスの内部を対向する二面の側面部と平行に配設される面でティッシュ箱収納部と小物雑貨収納部に隔てる垂直の仕切り及び幅寄せ面部を備え、この仕切り及び幅寄せ面部は前記ティッシュ箱収納部内に横向き姿勢で収納される直方体形状のティッシュ箱のティッシュ取り出し口側の面を前記仕切り及び幅寄せ面部と対向する前記ティッシュ箱収納部の側面部に当接する位置に幅寄せする機能を併せ持ち、前記仕切り及び幅寄せ面部と対向する前記ティッシュ箱収納部の側面部の略中央部分に横方向に長いティッシュ取り出し口を形成し、前記ティッシュ箱収納部の側面部に形成した前記ティッシュ取り出し口を前記ティッシュ箱収納部内に横向き姿勢で収納される直方体形状のティッシュ箱のティッシュ取り出し口と対応する位置に形成し、前記仕切り及び幅寄せ面部の両側端部に仕切り及び幅寄せ面部係着用の面ファスナーを取付け、前記収納ボックスの前記ティッシュ取り出し口が形成された側面部に隣接する両側面部の対向面に前記仕切り及び幅寄せ面部の両側端部が前記仕切り及び幅寄せ面部係着用の面ファスナーを介して着脱自在に垂直に固着される仕切り及び幅寄せ面部係着用の受け面ファスナーを設け、前記仕切り及び幅寄せ面部による仕切り固定位置と前記ティッシュ取り出し口が形成された側面部との間のティッシュ箱収納部の収納幅を該ティッシュ箱収納部内に横向き姿勢で収納される直方体形状のティッシュ箱の厚さ幅に対応する幅に変更調節できるように前記仕切り及び幅寄せ面部の両側端部が仕切り及び幅寄せ面部係着用の面ファスナーを介して着脱自在に垂直に固着される前記仕切り及び幅寄せ面部係着用の受け面ファスナーの固着可能範囲を幅寄せ方向に広く形成した、ティッシュ箱及び小物雑貨類の収納ケースを提供する。
【００１２】
本考案（請求項２の考案）によれば、前記仕切り及び幅寄せ面部係着用の受け面ファスナーの固着可能範囲を幅寄せ方向に広く形成したことにより、この受け面ファスナーに対する前記仕切り及び幅寄せ面部の仕切り及び幅寄せ固定位置すなわちティッシュ箱収納部の収納幅を該ティッシュ箱収納部内に横向き姿勢で収納されるティッシュ箱の厚さ幅より少し広くした最適な幅サイズに変更調節できる。よって、厚さ幅の異なるティッシュ箱を同じケース内に収納する場合であっても、ティッシュ箱のティッシュ取り出し口を収納ケースのティッシュ取り出し口に対応した寄せ位置に収納することができ、収納ケースの側面部に形成したティッシュ取り出し口からティッシュ箱内のティッシュを一枚ずつ的確に取り出しできる。
【００１３】
また、本考案（請求項３の考案）は、前記した考案（請求項１の考案）において、前記仕切り及び幅寄せ面部の上端部に前記ティッシュ箱収納部の上面開口を覆う覆い面部が開閉用折り目を介して折り畳み自在に連接され、この覆い面部の先端部に前記開閉用折り目と平行な差込み用折り目を介して折れ片が折り畳み自在に連接され、この折れ片を差込み片とした、ティッシュ箱及び小物雑貨類の収納ケースを提供する。
【００１４】
また、本考案（請求項４の考案）は、前記した考案（請求項２の考案）において、前記仕切り及び幅寄せ面部の上端部に前記ティッシュ箱収納部の上面開口を覆う覆い面部が開閉用折り目を介して折り畳み自在に連接され、この覆い面部の先端部に前記開閉用折り目と平行な差込み用折り目を介して複数の折れ片が折り畳み自在に連接され、先端側の前記折れ片又はこの先端側の折れ片を含む後続の折れ片を差込み片とした、ティッシュ箱及び小物雑貨類の収納ケースを提供する。
【００１５】
本考案（請求項３、４の考案）によれば、前記折れ片（差込み片）を前記ティッシュ箱収納部内に収納されたティッシュ箱と前記ティッシュ取り出し口が形成された側面部の間の隙間に上方向から差し込めば、差し込まれた折れ片（差込み片）によって覆い面部を前記ティッシュ箱収納部の上面開口を覆う位置に固定できる。よって、ティッシュ箱を完全に覆うことができ、且つティッシュ箱を前記ティッシュ箱収納部内にしっかり固定した状態に収納できる。また、本考案（請求項４の考案）によれば、前記ティッシュ箱収納部の前記収納幅の変更に対応して前記ティッシュ箱収納部の上面開口を覆う覆い幅を変更できるようにした。しかも本考案（請求項４の考案）によれば、前記仕切り及び幅寄せ面部、覆い面部、及び折れ片（差込み片）を収納ボックスから取り外しでき、取り外した仕切り及び幅寄せ面部、覆い面部、及び折れ片（差込み片）はコンパクトな扁平形態に折り畳むことができる。
【００１６】
また、本考案（請求項５の考案）は、前記した考案（請求項１の考案）において、前記小物雑貨収納部の内部を仕切り面部で上面が開口された複数の小物雑貨収納部分に隔てた構造とし、具体的には、前記小物雑貨収納部の内部を前記仕切り及び幅寄せ面部と平行に配置された小物雑貨収納部用の主仕切り面部で外側と内側の二つの小物雑貨収納部分に隔て、前記主仕切り面部で隔てた外側と内側の二つの小物雑貨収納部分のうち該主仕切り面部と該主仕切り面部と対向する側面部との間に形成された外側の小物雑貨収納部分を前記主仕切り面部の一面から略Ｔ字状に連接された従属仕切り面部で更に複数の小物雑貨小口収納部分に隔てた構造とした、ティッシュ箱及び小物雑貨類の収納ケースを提供する。
【００１７】
また、本考案（請求項６の考案）は、前記した考案（請求項２の考案）において、前記小物雑貨収納部の内部を上面が開口された複数の小物雑貨収納部分に隔てる仕切り面部を備え、この仕切り面部は、前記仕切り及び幅寄せ面部と平行に配置され、前記小物雑貨収納部の内部を外側と内側の二つの小物雑貨収納部分に隔てる主仕切り面部と、前記主仕切り面部で隔てた外側と内側の二つの小物雑貨収納部分のうち該主仕切り面部と該主仕切り面部と対向する側面部との間に形成された外側の小物雑貨収納部分を更に複数の小物雑貨小口収納部分に隔てる、前記主仕切り面部の一面から折り畳み自在な略Ｔ字状に連接された従属仕切り面部を備え、前記主仕切り面部の両側端部に主仕切り面部係着用の面ファスナーを取付け、前記収納ボックスの前記ティッシュ取り出し口が形成された側面部に隣接する両側面部の対向面に前記主仕切り面部の両側端部が前記主仕切り面部係着用の面ファスナーを介して着脱自在に垂直に固着される主仕切り面部係着用の受け面ファスナーを前記仕切り及び幅寄せ面部係着用の受け面ファスナーに並べて設け、前記従属仕切り面部の先端部に従属仕切り面部係着用の面ファスナーを取付け、前記主仕切り面部と対向する側面部の内側面に前記従属仕切り面部の先端部が前記従属仕切り面部係着用の面ファスナーを介して着脱自在に垂直に固着される従属仕切り面部係着用の受け面ファスナーを設けた、ティッシュ箱及び小物雑貨類の収納ケースを提供する。
【００１８】
本考案（請求項５、６の考案）によれば、収納ケースの前記小物雑貨収納部の内部は主仕切り面部で外側と内側の二つの小物雑貨収納部分に隔てられ、外側と内側の二つの小物雑貨収納部分のうち外側の小物雑貨収納部分の内部は従属仕切り面部で更に複数の小物雑貨小口収納部分に隔てた構造にしてあるため、例えば、リモコン、眼鏡、筆記具などのやや小さめな小物雑貨類や使う頻度の多い小物雑貨類は複数の小さな小物雑貨小口収納部分に隔てた外側の小物雑貨収納部分に別々に収容するようにし、例えば、使う頻度の少ない小物雑貨類は内側の小物雑貨収納部分に分けて収容でき、いろいろな小物雑貨類を効率よく収納できる。また、本考案（請求項６の考案）によれば、前記主仕切り面部及び従属仕切り面部を収納ボックスから取り外しでき、取り外した主及び従属仕切り面部をコンパクトな扁平形態に折り畳むことができる。
【００１９】
また、本考案（請求項７の考案）は、前記した考案（請求項１から６のいずれかの考案）において、前記ティッシュ取り出し口を形成した前記側面部の上辺の高さに比べて対向する前記側面部の上辺の高さを低く形成した、ティッシュ箱及び小物雑貨類の収納ケースを提供する。
【００２０】
本考案（請求項７の考案）によれば、この小物雑貨収納部側の側面部の上辺の高さをティッシュ箱収納部側の側面部の上辺の高さに比べ相対的に低く形成してあるため、小物雑貨類の出し入れが容易である。特に、外側と内側の二つの小物雑貨収納部分のうち外側の小物雑貨収納部分の内部を従属仕切り面部で更に複数の小物雑貨小口収納部分に隔てた構造の収納ケースによれば、これら複数の小さな小物雑貨小口収納部分に隔てた外側の小物雑貨収納部分に、例えば、リモコン、眼鏡、筆記具などのやや小さめな小物雑貨類や使う頻度の多い小物雑貨類を別々に収容した場合、これらのやや小さめな小物雑貨類の出し入れが実に容易であり、小物雑貨収納部側の側面部の上辺の高さを相対的に低く形成した効果はより大きいものである。
【００２１】
また、本考案（請求項８の考案）は、前記した考案（請求項１から６のいずれかの考案）において、前記ティッシュ取り出し口を形成した前記側面部の上辺の高さに比べて対向する前記側面部の上辺の高さを相対的に低く形成し、この両側面部に隣接した両側面部の各上辺を、該上辺の中央部が高低差のある前記側面部の上辺の高さより上方に突出した湾曲辺とし、この湾曲辺の両端部が高低差のある前記側面部の各上辺の端部にそれぞれ連なる湾曲形状とした、ティッシュ箱及び小物雑貨類の収納ケースを提供する。
【００２２】
本考案（請求項８の考案）によれば、小物雑貨収納部側の側面部の上辺の高さをティッシュ箱収納部側の側面部の上辺の高さに比べ相対的に低く形成したことによる前述の効果に加え、前記前記仕切り及び幅寄せ面部と前記主仕切り面部で隔てられた内側の小物雑貨収納部分は、上方に突出した湾曲辺の中央部で両側が囲まれるため、この内側の小物雑貨収納部分には、比較的背の高いやや大きめな小物雑貨類や使う頻度の少ない小物雑貨類を収納するのに適している。
【００２３】
また、本考案（請求項９の考案）は、前記した考案（請求項１から６のいずれかの考案）において、前記ティッシュ取り出し口を形成した前記側面部は、横方向に長い前記ティッシュ取り出し口を境にして上部側面部分が可撓性を有する硬めの面部材で形成され、下部側面部分が柔軟な面部材で形成されている、ティッシュ箱及び小物雑貨類の収納ケースを提供する。
【００２４】
本考案（請求項９の考案）によれば、横方向に長いティッシュ取り出し口の下側の開口辺を柔軟なものとしたことによって、このティッシュ取り出し口の下側の開口辺を上側の開口辺に対して広げることができ、このティッシュ取り出し口からティッシュ箱内のティッシュを一枚ずつ容易に且つ的確に取り出しできるようにしてある。
【００２５】
また、本考案（請求項１０の考案）は、前記した考案（請求項２又は６の考案）において、前記底面部は、対角線で分離された二つの柔軟シート材の底面部分で形成され、二つの底面部分の分離辺を該分離辺に沿って設けたスライドファスナー又は該分離辺の近傍に設けた雄雌の面ファスナーによって開閉自在とし、且つ各側面部は隣接する側面部の境目辺を折り目として折り畳み自在に連接されている、ティッシュ箱及び小物雑貨類の収納ケースを提供する。
【００２６】
前記底面部のスライドファスナーを開け、又は雄雌の面ファスナーを外し、二つの底面部分の分離辺を開状態にすれば、収納ボックスの側面部は各境目辺の折り目を介して扁平形態に折り畳み可能な構造にした。したがって、本考案（請求項９の考案）によれば、前記前記仕切り及び幅寄せ面部、前記主仕切り面部及び従属仕切り面部を取り外した収納ボックスをコンパクトな扁平形態に折り畳むことができる。
【００２７】
また、本考案（請求項１１の考案）は、前記した考案（請求項３又は４の考案）において、前記覆い面部の表面につかみ部を設けたティッシュ箱及び小物雑貨類の収納ケースを提供する。
【考案の効果】
【００２８】
本考案の収納ケースは、主にテーブル面や床面に置いて使用するのに便利なティッシュ箱と、リモコン、眼鏡、筆記具などの小物雑貨類を一緒に効率よくコンパクトに収納でき、収納ケース内に収納したティッシュ箱からティッシュペーパーを一枚ずつ取り出しできると共に、小物雑貨類の出し入れが容易であり、特にテーブル面や床面に置いて使用するのに便利である。
【００２９】
しかも、本考案の収納ケースは、薄型サイズ、中型サイズ、厚型サイズなど厚さ幅の異なるティッシュ箱を収納する場合であっても、ティッシュ箱収納部内に横向き姿勢で収納するティッシュ箱の厚さ幅サイズに対応した収納幅のティッシュ箱収納部に変更調節できるため、厚さ幅の異なるティッシュ箱でも、収納部内にフィットした収納状態に収容できると共に、収納ケースの側面部に形成したティッシュ取り出し口からティッシュ箱内のティッシュを一枚ずつ的確に取り出しできる。
【００３０】
また、本考案の収納ケースは、組立てと分解が容易であり、分解した各構成部分をコンパクトな扁平形態に折り畳むことができる。
【図面の簡単な説明】
【００３１】
【図１】本考案の収納ケースを一部切欠いて示した斜視図である。
【図２】本考案の収納ケースの分解斜視図である。
【考案を実施するための形態】
【００３２】
以下、本考案の最良の実施形態を示した図面に基づいて説明する。
【００３３】
収納ケースは、方形（図面では長方形）の底面部２と４面の側面部３，４，５，６から成る上面が開口された収納ボックス１と、この収納ボックス１の内部を対向する二面の側面部３，４と平行に配設される面でティッシュ箱収納部８と小物雑貨収納部９に隔てる垂直の仕切り及び幅寄せ面部７を備え、前記仕切り及び幅寄せ面部７と対向する前記ティッシュ箱収納部８の側面部３の略中央部分に横方向に長いティッシュ取り出し口１０を形成してある。前記ティッシュ取り出し口１０は前記ティッシュ箱収納部８内に横向き姿勢（図２に一点鎖線で示した横向き姿勢）で収納される直方体形状のティッシュ箱３０のティッシュ取り出し口３１と対応する位置に形成してある。前記側面部３，４は長方形の底面部２の相対する各長辺にそれぞれ隣接し、前記側面部５，６は長方形の底面部２の相対する各短辺にそれぞれ隣接している。前記仕切り及び幅寄せ面部７は前記ティッシュ箱収納部８内に横向き姿勢で収納される直方体形状のティッシュ箱３０のティッシュ取り出し口３１側の面を前記仕切り及び幅寄せ面部７と対向する前記ティッシュ箱収納部８の側面部３に当接する位置に幅寄せする機能を併せ持つものである。
【００３４】
図示した実施例の収納ケースは、ティッシュ箱収納部８内に収納するティッシュ箱３０として、一般的に広く知られた形態のもので、箱の上面に形成された横長の取り出し口３１からティッシュペーパーＰを一枚ずつ取り出し可能に収納してある直方体形状の紙製箱であり、上面（底面も）の長辺が約２４ｃｍ、短辺が約１２ｃｍの長方形で、厚さ幅Ｔ（ティッシュ箱の取り出し口を上面にして置いた場合は高さ幅を指す。）が約５ｃｍ幅の薄型のものから約６ｃｍ幅の中型サイズのものを想定し、形成してある。しかし、ティッシュ箱のサイズは前記したサイズに限定されないことは勿論である。
【００３５】
前記仕切り及び幅寄せ面部７は前記収納ボックス１に対して着脱自在な構造としてある。具体的には、横に長い長方形状の前記仕切り及び幅寄せ面部７の両側端部の全体に仕切り及び幅寄せ面部係着用の面ファスナー１２ａ，１２ａを被せた状態に取付け、前記収納ボックス１の前記ティッシュ取り出し口１０が形成された側面部３に隣接する両側面部５，６の対向面に前記仕切り及び幅寄せ面部７の両側端部の全体が前記仕切り及び幅寄せ面部係着用の面ファスナー１２ａ，１２ａを介して着脱自在に垂直に固着される仕切り及び幅寄せ面部係着用の受け面ファスナー１２ｂ，１２ｂを設けている。前記仕切り及び幅寄せ面部７による仕切り固定位置と前記ティッシュ取り出し口１０が形成された側面部３との間のティッシュ箱収納部８の収納幅Ｌを該ティッシュ箱収納部８内に横向き姿勢で収納される直方体形状のティッシュ箱３０の厚さ幅Ｔに対応する幅に変更調節できるように前記仕切り及び幅寄せ面部係着用の受け面ファスナー１２ｂ，１２ｂの固着可能範囲Ｗを幅寄せ方向に広く形成した。図示した実施例では、受け面ファスナー１２ｂ，１２ｂを幅寄せ方向に幅広のものとした。しかし、幅寄せ方向に間隔を空けた複数の受け面ファスナーを設けたものでも良い。
【００３６】
前記仕切り及び幅寄せ面部７の両側端部の全体を仕切り及び幅寄せ面部係着用の面ファスナー１２ａ，１２ａを介して幅広の前記仕切り及び幅寄せ面部係着用の受け面ファスナー１２ｂ，１２ｂに垂直に固着する。前記仕切り及び幅寄せ面部係着用の受け面ファスナー１２ｂ，１２ｂの固着可能範囲Ｗを幅寄せ方向に広く形成したことにより、この受け面ファスナー１２ｂ，１２ｂに対する前記仕切り及び幅寄せ面部７の仕切り及び幅寄せ固定位置すなわちティッシュ箱収納部８の収納幅Ｌを該ティッシュ箱収納部８内に横向き姿勢で収納されるティッシュ箱３０の厚さ幅Ｔより少し広くした最適な幅サイズに変更調節できる。
【００３７】
前記仕切り及び幅寄せ面部７の上端部に前記ティッシュ箱収納部８の上面開口を覆う覆い面部１４が開閉用折り目１５を介して折り畳み自在に連接され、この覆い面部１４の先端部に前記開閉用折り目１５と平行な複数（二本）の差込み用折り目１７を介して複数（二個）の折れ片１６ａ，１６ｂが折り畳み自在に連接され、先端側の前記折れ片１６ａ又はこの先端側の折れ片１６ａを含む後続の折れ片１６ｂを差込み片としている。前記覆い面部１４の表面には、つかみ部１８を設けてある。このつかみ部１８は前記覆い面部１４を上方に開ける際に効果的である。
【００３８】
前記折れ片（差込み片）１６ａ，１６ｂを前記ティッシュ箱収納部８内に収納されたティッシュ箱３０と前記ティッシュ取り出し口８が形成された側面部３の間の隙間に上方向から差し込めば、差し込まれた折れ片（差込み片）によって覆い面部１４を前記ティッシュ箱収納部８の上面開口を覆う位置に固定できる。よって、ティッシュ箱３０を完全に覆うことができ、且つティッシュ箱３０を前記ティッシュ箱収納部８内にしっかり固定した状態に収納できる。しかも、前記ティッシュ箱収納部８の前記収納幅Ｌの変更に対応して前記ティッシュ箱収納部８の上面開口を覆う覆い幅を変更できる。図示した実施例において、ティッシュ箱収納部８の収納幅Ｌを広く設定したときは、図１，２のように、前記覆い面部１４と前記折れ片１６ｂでティッシュ箱収納部８の上面開口を覆い、先端の折れ片１６ａのみを差込み片として機能させる。また、収納幅Ｌを狭く設定したときは、前記覆い面部１４だけでティッシュ箱収納部８の上面開口を覆い、二個の折れ片１６ａ，１６ｂを差込み片として機能させる。
【００３９】
なお、図示してないが、前記仕切り及び幅寄せ面部７、覆い面部１４、複数の折れ片１６ａ，１６ｂは、各面に相等する板状芯材の全体を被覆シート材で被い、隣接する板状芯材の端部間に在る被覆シート材を境目に沿って逢着し、境目に沿った逢着箇所を折り目（開閉用折り目１５、差込み用折り目１７）としてある。
【００４０】
前記小物雑貨収納部９の内部を上面が開口された複数の小物雑貨収納部分に隔てる仕切り面部を備えている。この仕切り面部は、具体的には、前記仕切り及び幅寄せ面部７と平行に配置され、前記小物雑貨収納部９の内部を外側と内側の二つの小物雑貨収納部分２１，２２に隔てる主仕切り面部２０と、前記主仕切り面部２０で隔てた外側と内側の二つの小物雑貨収納部分２１，２２のうち該主仕切り面部２０と該主仕切り面部２０と対向する側面部４との間に形成された外側の小物雑貨収納部分２１を更に複数（図面では三つ）の小物雑貨小口収納部分２１ａ，２１ｂ，２１ｃに隔てる、前記主仕切り面部２０の一面から折り畳み自在な略Ｔ字状に連接された二つの従属仕切り面部２３，２３を備えている。
【００４１】
前記主仕切り面部２０及び従属仕切り面部２３，２３は前記収納ボックス１に対して着脱自在な構造としてある。具体的には、前記主仕切り面部２０の両側端部の全体に主仕切り面部係着用の面ファスナー２５ａ，２５ａを被せた状態に取付け、前記収納ボックス１の前記ティッシュ取り出し口１０が形成された側面部３に隣接する両側面部５，６の対向面に前記主仕切り面部２０の両側端部の全体が前記主仕切り面部係着用の面ファスナー２５ａ，２５ａを介して着脱自在に垂直に固着される主仕切り面部係着用の受け面ファスナー２５ｂ，２５ｂを前記仕切り及び幅寄せ面部係着用の受け面ファスナー１２ｂ，１２ｂに並べて設け、前記従属仕切り面部２３，２３の各先端部の全体に従属仕切り面部係着用の面ファスナー２６ａをそれぞれ被せた状態に取付け、前記主仕切り面部２０と対向する側面部４の内側面に前記従属仕切り面部２３，２３の先端部の全体が前記従属仕切り面部係着用の面ファスナー２６ａを介して着脱自在に垂直に固着される従属仕切り面部係着用の受け面ファスナー２６ｂ，２６ｂを設けてある。
【００４２】
収納ケースの前記小物雑貨収納部９の内部は主仕切り面部２０で外側と内側の二つの小物雑貨収納部分２１，２２に隔てられ、外側と内側の二つの小物雑貨収納部分２１，２２のうち外側の小物雑貨収納部分２１の内部は従属仕切り面部２３，２３で更に複数（図面では三つ）の小物雑貨小口収納部分２１ａ，２１ｂ，２１ｃに隔てた構造にしてあるため、例えば、リモコン、眼鏡、筆記具などのやや小さめな小物雑貨類や使う頻度の多い小物雑貨類（図示せず）は複数の小さな小物雑貨小口収納部分２１ａ，２１ｂ，２１ｃに隔てた外側の小物雑貨収納部分２１に別々に収容するようにし、例えば、使う頻度の少ない小物雑貨類（図示せず）は内側の小物雑貨収納部分２２に分けて収容でき、いろいろな小物雑貨類を効率よく収納できる。従属仕切り面部２３で隔てた複数の小物雑貨小口収納部分２１ａ，２１ｂ，２１ｃのうち、一つの小物雑貨小口収納部分２１ｃには、この小物雑貨小口収納部分２１ｃを形成する前記主仕切り面部２０の対応面に筆記具を上から挿入して係止するための半環状の係止ベルト（図２に破線で示した。）を取付けてある。
【００４３】
なお、図示してないが、前記主仕切り面部２０、従属仕切り面部２３は、各面に相等する板状芯材を被覆シート材でそれぞれ覆った構造であり、従属仕切り面部２３の基端部を主仕切り面部２０の一面に折り畳み自在に逢着してある。
【００４４】
前記ティッシュ取り出し口１０を形成した前記側面部３の上辺の高さに比べて対向する前記側面部４の上辺の高さを相対的に低く形成してある。実施例では、前記側面部３の高さをティッシュ箱の短辺サイズ（約１２ｃｍ）より少し大きく形成してある。そして、この両側面部３，４に隣接した両側面部５，６は互いに同一の形状とし、この両側面部５，６の各上辺は、中央部が前記側面部３，４の上辺の高さより上方に突出した湾曲辺で、この湾曲辺の両端部が高低差のある前記側面部３，４の各上辺の端部にそれぞれ連なる湾曲形状としてある。この側面部５，６の上部中央の対称位置に同形のつまみ用又は吊り下げ用の穴２８を開口形成してある。本考案の収納ケースは、主にテーブル面や床面に置いて使用するのに適しているが、前記穴２８を利用して吊り下げて使用することもできる。
【００４５】
この小物雑貨収納部９側の側面部４の上辺の高さをティッシュ箱収納部８側の側面部３の上辺の高さに比べ相対的に低く形成してあるため、小物雑貨類の出し入れが容易である。特に、外側と内側の二つの小物雑貨収納部分２１，２２のうち外側の小物雑貨収納部分２１の内部を従属仕切り面部２３で更に複数の小物雑貨小口収納部分２１ａ，２１ｂ，２１ｃに隔てた構造の収納ケースによれば、これら複数の小さな小物雑貨小口収納部分２１ａ，２１ｂ，２１ｃに隔てた外側の小物雑貨収納部分２１に、例えば、リモコン、眼鏡、筆記具などのやや小さめな小物雑貨類や使う頻度の多い小物雑貨類を別々に収容した場合、これらのやや小さめな小物雑貨類の出し入れが実に容易であり、小物雑貨収納部９側の側面部４の上辺の高さを相対的に低く形成した効果はより大きいものである。
【００４６】
図示した実施例では、側面部５，６の各上辺は、中央部が前記側面部３，４の上辺の高さより上方に突出した湾曲辺で、この湾曲辺の両端部が高低差のある前記側面部３，４の各上辺にそれぞれ連なる湾曲形状としてある。主仕切り面部２０で隔てられた内側の小物雑貨収納部分２２の両側は側面部５，６の上方に突出した湾曲辺の中央部で囲まれているため、内側の小物雑貨収納部分２２には、比較的背の高いやや大きめな小物雑貨類や使う頻度の少ない小物雑貨類を収納するのに適している。
【００４７】
前記ティッシュ取り出し口１０を形成した前記側面部３は、横方向に長い前記ティッシュ取り出し口１０を境にして上部側面部分３ａが可撓性を有する硬めの面部材で形成され、下部側面部分３ｂが柔軟な面部材で形成されている。すなわち、横方向に長いティッシュ取り出し口１０の下側の開口辺１０ｂを柔軟なものとしたことによって、ティッシュ取り出し口１０の下側の開口辺１０ｂを上側の開口辺１０ａに対して広げることができ、このティッシュ取り出し口１０からティッシュ箱内のティッシュを一枚ずつ容易に且つ的確に取り出しできるようにしてある。
【００４８】
収納ボックス１の底面部２は、対角線で分離された二つの柔軟シート材の底面部分２ａ，２ａで形成され、二つの底面部分２ａ，２ａの分離辺を開閉自在とする雄雌の面ファスナー２ｃ，２ｄを各底面部分の分離辺の近くに設けてある。柔軟シート材で形成した二つの底面部分２ａ，２ａの上には板状の底板２Ａを敷き、底面部２を補強している。この底板２Ａには図示してないが敷設位置からの取り外しを容易にするつまみ片を設けてある。
【００４９】
収納ボックス１の各側面部は隣接する側面部の境目辺を折り目Ｆとして折り畳み自在に連接されている。なお、図示してないが、前記ティッシュ取り出し口１０を形成した前記側面部３を除いた前記収納ボックス１の各側面部４，５，６は、各側面に相等する板状芯材を被覆シート材で被い、隣接する板状芯材の端部間に在る被覆シート材を境目に沿って逢着し、境目に沿った逢着箇所を折り目Ｆとしてある。また、ティッシュ取り出し口１０を形成した前記側面部３は、上部側面部分３ａに相等する板状芯材を被覆シート材で被い、隣接する板状芯材の端部間に在る被覆シート材を境目に沿って逢着し、境目に沿った逢着箇所を折り目Ｆとしてある。前記側面部３の下部側面部分３ｂは柔軟シート材で形成し、この下部側面部分３ｂの両側端部を隣接する側面部の被覆シート材に逢着してある。
【００５０】
なお、図示の実施形態では、前記仕切り及び幅寄せ面部７、前記主仕切り面部２０及び従属仕切り面部２３，２３を前記収納ボックス１に対して着脱自在な構造としたが、本考案では、これらの面部（７，２０，２３）を収納ボックス１に対して固定した構造のものを除くものではない。
【符号の説明】
【００５１】
１  収納ボックス
２  底面部
２ａ，２ａ  底面部分
２ｃ，２ｄ  雄雌の面ファスナー
２Ａ  底板
３，４，５，６  側面部
３ａ  ティッシュ取り出し口を形成した側面部の上部側面部分
３ｂ  ティッシュ取り出し口を形成した側面部の下部側面部分
７  仕切り及び幅寄せ面部
８  ティッシュ箱収納部
９  小物雑貨収納部
Ｌ  ティッシュ箱収納部の収納幅
１０  ティッシュ取り出し口
１０ａ  ティッシュ取り出し口の上側の開口辺
１０ｂ  ティッシュ取り出し口の下側の開口辺
１２ａ，１２ａ  仕切り及び幅寄せ面部係着用の面ファスナー
１２ｂ，１２ｂ  仕切り及び幅寄せ面部係着用の受け面ファスナー
Ｗ  仕切り及び幅寄せ面部係着用の受け面ファスナーの固着可能範囲
１４  覆い面部
１５  開閉用折り目
１６ａ，１６ｂ  折れ片
１７  差込み用折り目
１８  つかみ部
２０  主仕切り面部
２１  外側の小物雑貨収納部分
２２  内側の小物雑貨収納部分
２３  従属仕切り面部
２１ａ，２１ｂ，２１ｃ  小物雑貨小口収納部分
２５ａ，２５ａ  主仕切り面部係着用の面ファスナー
２５ｂ，２５ｂ  主仕切り面部係着用の受け面ファスナー
２６ａ  従属仕切り面部係着用の面ファスナー
２６ｂ  従属仕切り面部係着用の受け面ファスナー
３０  ティッシュ箱
３１  ティッシュ箱のティッシュ取り出し口
Ｔ  ティッシュ箱の厚さ幅
【図１】
0003163632.tif 000003
【図２】
0003163632.tif 000004